【手続補正書】
【提出日】平成29年7月26日(2017.7.26)
【手続補正１】
【補正対象書類名】特許請求の範囲
【補正対象項目名】全文
【補正方法】変更
【補正の内容】
【特許請求の範囲】
【請求項１】
複数の層を含む転写補助部材であって、これらの層の１つが、ポリマー支持体層上にアミノプラスト樹脂およびポリエステルポリオール樹脂の架橋混合物を含むチェックフィルム層であり、
前記ポリエステルポリオール樹脂が、アルコールおよび酸から誘導される縮合ポリマーを含み、
前記アルコールが、エチレングリコール、ジエチレングリコール、トリエチレングリコール、ブチレングリコール、プロピレングリコール、ジプロピレングリコール、ネオペンチルグリコール、１，５−ペンタンジオール、１，８−オクタンジオール、１，２−プロパンジオール、１，３−ブタンジオール、１，２−ペンタンジオール、２メチル−２，４−ペンタンジオール、ビスフェノールＡ、ビスフェノールＺ、ビスフェノールＣ、ビスフェノールＳ、トリメチロールプロパン、グリセリン、ペンタエリスリトール、および糖アルコールの１つであり、
前記酸が、アジピン酸、コハク酸、シュウ酸、マロン酸、グルタル酸、ピメリン酸、スベリン酸、アゼライン酸、セバシン酸、ウンデカン二酸、ドデカン二酸、マレイン酸、フマル酸、グルタコン酸、トラウマチン酸、およびムコン酸、フタル酸、イソフタル酸、テレフタル酸、およびこれらの混合物の１つであり、
以下の式／構造によって表されるような高分子量ポリエチレンを含む摩耗耐性層をさらに含み、
【化１】
2015036814.tif 000001
（式中、ｎは、１００，０００〜３００，０００の繰り返しセグメントの数を表す）
前記複数の層の各隣接対の間に位置する接着剤層が存在する、転写補助部材。
【請求項２】
前記架橋生成物は、前記アミノプラスト樹脂および前記ポリエステルポリオール樹脂の混合物の硬化によりもたらされ、前記アミノプラスト樹脂および前記ポリエステルポリオール樹脂の架橋が７５〜１００％である、請求項１に記載の転写補助部材。
【請求項３】
前記チェックフィルム層がさらに、伝導性構成成分であるカーボンブラックを含む、請求項１に記載の転写補助部材。
【請求項４】
前記チェックフィルム層がさらに、カーボンブラック、グラファイト、シリカ、ポリテトラフルオロエチレン、可塑剤、触媒、ポリシロキサンコポリマー、またはこれらの混合物を含む、請求項１に記載の転写補助部材。
【請求項５】
前記チェックフィルム層が、Ｒｅｓｉｓｔａｎｃｅ  Ｍｅｔｅｒによる測定で、１×１０７〜９．９９×１０９ｏｈｍの抵抗を有する、請求項４に記載の転写補助部材。
【請求項６】
前記ポリマー支持体層が、ポリエステル、ポリアミド、ポリエーテルイミド、ポリアミドイミド、ポリイミド、ポリフェニルスルフィド、ポリエーテルエーテルケトン、ポリスルホン、ポリカーボネート、ポリビニルハライド、ポリオレフィン、またはこれらの混合物を含む、請求項１に記載の転写補助部材。
【請求項７】
前記ポリマー支持体層は、ポリエチレンテレフタレートまたはポリエチレンナフタレートを含む、請求項１に記載の転写補助部材。
【請求項８】
前記架橋混合物がさらに、カーボンブラック、グラファイト、金属酸化物、ポリアニリン、ポリチオフェン、ポリピロール、またはこれらの混合物の伝導性構成成分、シリカ、ポリテトラフルオロエチレン、酸触媒、および可塑剤を含み、
前記ポリマー支持体層は、ポリエチレンテレフタレートまたはポリエチレンナフタレートを含み、
前記可塑剤は、ジエチルフタレート、ジオクチルフタレート、ジアリルフタレート、ポリプロピレングリコールジベンゾエート、ジ−２−エチルヘキシルフタレート、ジイソノニルフタレート、ジ−２−プロピルヘプチルフタレート、ジイソデシルフタレート、ジ−２−エチルヘキシルテレフタレートおよびそれらの混合物からなる群から選択される、請求項１に記載の転写補助部材。
【請求項９】
前記複数の層が、底部ポリマー層、中間ポリマー層、および頂部ポリマー層を含む少なくとも３つの別個のポリマー層を含み、前記底部ポリマー層が、前記チェックフィルム層のポリマー支持体層と接触し、前記摩耗耐性層が前記頂部ポリマー層と接触する単一の層である、請求項１に記載の転写補助部材。
【請求項１０】
前記アミノプラスト樹脂が、メラミンホルムアルデヒド樹脂、尿素ホルムアルデヒド樹脂、ベンゾグアナミンホルムアルデヒド樹脂、またはグリコールウリルホルムアルデヒド樹脂である、請求項１に記載の転写補助部材。
【請求項１１】
前記アルコールが、エチレングリコール、ジエチレングリコール、トリエチレングリコール、ブチレングリコール、プロピレングリコール、ジプロピレングリコール、ネオペンチルグリコール、１，５−ペンタンジオール、１，８−オクタンジオール、１，２−プロパンジオール、１，３−ブタンジオール、１，２−ペンタンジオール、２メチル−２，４−ペンタンジオール、ビスフェノールＡ、ビスフェノールＺ、ビスフェノールＣおよびビスフェノールＳの１つである、請求項１に記載の転写補助部材。
【請求項１２】
複数の結合層、ならびに、ポリアルキレンテレフタレート、ポリエステルまたはそれらの混合物のポリマー層基材上に含有され、部分的に伝導性である、アミノプラスト樹脂およびポリエステルポリオール樹脂の架橋混合物を含む結合チェックフィルム層を含む複合トナー転写補助ブレードであって、
前記複数の層の頂部層が、摩耗耐性層であり、
前記アミノプラスト樹脂が、メラミンホルムアルデヒド樹脂、尿素ホルムアルデヒド樹脂、ベンゾグアナミンホルムアルデヒド樹脂およびグリコールウリルホルムアルデヒド樹脂からなる群から選択され、
前記ポリエステルポリオール樹脂は、ポリエチレンアジペートジオール、ポリエチレンアジペート−ｃｏ−ブチレンアジペートジオール、ポリブチレンアジペートジオール、ポリ（２，２’−オキシジエチレンアジペート）ジオール、ポリヘキセンアジペートジオール、ポリエチレンスクシネートジオール、ポリエチレンスクシネート−ｃｏ−ブチレンスクシネートジオール、ポリブチレンスクシネートジオール、ポリ（２，２’−オキシジエチレンスクシネート）ジオール、ポリヘキセンスクシネートジオール、ポリエチレンフタレートジオール、ポリエチレンフタレート−ｃｏ−ブチレンフタレートジオール、ポリブチレンフタレートジオール、ポリ（２，２’−オキシジエチレンフタレート）ジオール、ポリヘキセンフタレートジオール、ポリ（ジエチレングリコール−ｃｏ−トリメチロールプロパン）アジペートポリオール、ポリ（ジエチレングリコール−ｃｏ−トリメチロールプロパン）スクシネートポリオール、またはポリ（ジエチレングリコール−ｃｏ−トリメチロールプロパン）フタレートポリオール、およびこれらの混合物からなる群から選択され、
前記結合チェックフィルム層が、場合によりさらに伝導性構成成分、酸触媒、シリカ、可塑剤、フルオロポリマー粒子、ポリシロキサンポリマー、およびこれらの混合物を含み、
前記フルオロポリマー粒子は、テトラフルオロエチレンポリマー、トリフルオロクロロエチレンポリマー、ヘキサフルオロプロピレンポリマー、ビニルフルオライドポリマー、ビニリデンフルオライドポリマー、または、ジフルオロジクロロエチレンポリマー、である、転写補助ブレード。
【請求項１３】
前記複数の層が、前記チェックフィルム層および前記摩耗耐性層と接触する３つのポリマー層を含む、請求項１２に記載の転写補助ブレード。
【請求項１４】
前記摩耗耐性層が、以下の式／構造によって表されるようなポリエチレンを含み、
【化２】
2015036814.tif 000002
（式中、ｎは、１５０，０００〜２２５，０００の繰り返しセグメントの数を表す）
前記複数の層の各隣接対の間に位置する接着剤層が存在する、請求項１２に記載の転写補助ブレード。
【請求項１５】
前記架橋混合物が、１×１０７〜９．９９×１０９ｏｈｍの部分的な抵抗性を有し、
前記架橋混合物が、総固形分に基づいて６５〜１００重量％の量で存在し、
前記結合チェックフィルム層が、０．１〜５０ミクロンの厚みであり、
前記結合チェックフィルム層が前記充填剤を含む場合、前記充填剤が総固形分に基づいて３〜３０重量％の量で存在し、
前記結合チェックフィルム層が前記シリカを含む場合、前記シリカが総固形分に基づいて０．２〜１０重量％の量で存在し、
前記結合チェックフィルム層が前記フルオロポリマー粒子を含む場合、前記フルオロポリマー粒子が総固形分に基づいて１〜１０重量％の量で存在し、
前記結合チェックフィルム層が前記ポリシロキサンポリマーを含む場合、前記ポリシロキサンポリマーが総固形分に基づいて０．０１〜５重量％の量で存在し、
前記結合チェックフィルム層が前記酸触媒を含む場合、前記酸触媒が総固形分に基づいて０．１〜５重量％の量で存在し、
前記耐摩耗性層が、１〜２０ミルの厚みである、
請求項１２に記載の転写補助ブレード。
【手続補正２】
【補正対象書類名】明細書
【補正対象項目名】発明の名称
【補正方法】変更
【補正の内容】
【発明の名称】転写補助部材および転写補助ブレード